(57)【要約】【課題】光学ファインダーを有する一眼レフカメラにおいて、走査型画像表示装置を用いて、一眼レフカメラとしての性能を満足できる画像を表示可能なファインダー内表示装置を提供する。【解決手段】光源３１と、光源３１からの光束を走査する走査手段３３を有し、光源３１を走査手段３３による走査に同期して変調することで被走査面であるピント板面１０ｂ上に情報を表示し、その情報を接眼光学系１２〜１５を介して撮影者が観察可能としている。【選択図】        図１
2006259078.tif 000002
【特許請求の範囲】
【請求項１】
ファインダー内に情報表示可能な一眼レフカメラにおいて、光源と、前記光源からの光束を走査する走査手段と、を有し、前記光源を前記走査に同期して変調することで被走査面上に情報を表示し、かつ前記被走査面上の情報を接眼光学系を介して撮影者が観察可能とすることを特徴とする一眼レフカメラのファインダー内表示装置。
【請求項２】
前記被走査面が焦点板面であることを特徴とする請求項１記載の一眼レフカメラのファインダー内表示装置。
【請求項３】
前記光源と、前記走査手段が、撮影レンズが交換可能な一眼レフカメラの撮影レンズマウントに装着可能なように構成されていることを特徴とする請求項１又は２記載の一眼レフカメラのファインダー内表示装置。
【請求項４】
前記接眼光学系が視度調整可能に構成されており、前記接眼光学系の視度をプラス側へ移動させることにより、前記走査面上の情報をファインダー外に投影可能とすることを特徴とする請求項１〜３いずれか記載の一眼レフカメラのファインダー内表示装置。
【発明の詳細な説明】
【技術分野】
【０００１】
本発明は、一眼レフカメラのファインダー内に種々の表示を行うための表示装置に関するものである。
【背景技術】
【０００２】
従来より一眼レフカメラのファインダー内表示装置においては、撮影レンズによる被写体像に測距範囲や測光範囲、撮影画面サイズ等の情報を重ねて表示する視野枠内表示と、ファインダー視野の周辺部にシャッタースピードや絞り値、フィルムカウンタ等の情報を表示する視野枠外表示があり、それら表示のために多種多様な装置が提案されており、例えば、特許文献１においては、焦点板とペンタプリズムの間に液晶表示装置を設けたものがある。
【０００３】
また現在、撮影光学系によって結像された被写体像をＣＣＤやＣＭＯＳ等の撮像素子を利用して電気信号に光電変換し、これにより得られた撮像信号を記録媒体等に記録するように構成されたデジタルカメラが広く普及している。このようなデジタルカメラには撮像素子によって取得された画像を表示するためのモニタが設けられているが、屋外等の明るい場所での視認性が悪いため、モニタとは別にファインダーも設けられている。そのファインダーは画像を表示するために画像表示装置を用いた電子ビューファインダーとなっていることが多い。その場合、撮影情報等のファインダー内表示も電子ビューファインダーを構成する画像表示装置により表示されている。そのため、全ての情報は視野枠内に被写体像に重ねられて表示されている。
【０００４】
電子ビューファインダーの画像表示装置としては、一般的に、透過型液晶、反射型液晶、有機ＥＬ素子などのいわゆるフラットパネルと呼ばれる２次元表示素子を使用している。これら２次元表示素子を接眼光学系と組み合わせ、表示画像を虚像として観察するように構成されたものが数多く提案されている。
【０００５】
しかし近年、撮像素子の高画素化による画質向上に伴い、電子ビューファインダーもより高精細な画像が要求されているが、フラットパネルにおいて、高解像度を達成するためには、必要な画素数分を製作しなければならず、画素数が増えた分だけ画素欠陥が増加したり、フラットパネルの大きさに対して相対的に画素の大きさが小さくなり製造が困難になるなどの問題があった。
【０００６】
また電子ビューファインダーは光学ファインダーに比べて、画素数が少ないため表示画像が粗い、応答性が遅いため動きのある被写体がスムーズに表示されないといった問題があるため、高画質や連写性能、動体追従性能が求められるデジタル一眼レフカメラには採用されず、従来と同様の光学ファインダーが設けられている。そのため、ファインダー内表示装置も従来と同様の表示装置が設けられている。
【特許文献１】特開平６−２５０２６４号公報
【特許文献２】特開２００３−２９１９７号公報
【特許文献３】特開平７−１７５００５号公報
【特許文献４】特開平８−３３４７２３号公報
【発明の開示】
【発明が解決しようとする課題】
【０００７】
しかしながら、従来のファインダー内表示装置では画像の表示ができないため、デジタルカメラの優位点である「撮影直後にその場で撮影済み画像が確認できる」機能がファインダーでは得られず、視認性の悪いモニタでしか得られない。また動画の撮影もファインダーでは行えない。
【０００８】
そこで画像を表示するためにファインダー内表示装置に電子ビューファインダーに用いられている画像表示装置を使用したとしても一眼レフカメラとしての性能を満足できない。
【０００９】
一方、特許文献２において、２次元表示素子を用いずに走査手段を使った画像表示装置が開示、提案されている。
【００１０】
ここで走査型画像表示装置の構成の概略を説明する。図６は、走査型画像表示装置の構成を示すものである。光源１０１から発光した光束は、集光光学系１０２を介して不図示の走査手段の偏向面１０３ｂに入射する。偏向面１０３ｂは、入射した光束を反射するようになっている。偏向面１０３ｂは、基板１０３ａに形成された２つのトーションバー１０３ｘ、１０３ｙにより支えられている。偏向面１０３ｂは、トーションバー１０３ｘ、１０３ｙを軸として、揺動するように構成されており偏向面１０３ｂが傾斜することにより反射光を偏向する。光源１０１からの光は、所望の面１０４上に集光するようになっており、偏向面１０３ｂの傾斜に伴って光源１０１からの光束は、面１０４上を走査することになる。付番１０５、１０６は、被走査面上の走査線の例を示したものであり、この走査型画像表示装置は、被走査面上をラスタスキャンするようになっている。線１０５は、ラスタスキャンにおける水平走査線の例を表しており、線１０６は帰線を表している。このラスタスキャンと光源１０１の変調のタイミングを同期させることで、被走査面１０４中の有効エリア１０７中に所望の画像を表示する。
【００１１】
基板１０３ａはたとえばＳｉ基板で製作されており、偏向面１０３ｂには、入射光束を高い反射率で反射するように金属反射膜、誘電体反射膜が形成されている。走査手段の駆動には、Ｓｉ基板１０３ａに半導体プロセスにより作製された不図示の電磁アクチュエータ、静電気アクチュエータなどを形成することで駆動することができる。
【００１２】
この走査型画像表示装置では上記で説明したように、光源からの光束の走査と光源からの光束とを同期をとって変調するように構成されており、フラットパネルに見られるような画素というものがないため、画素欠陥が原理的に起こらない。さらに、画素間の境目というものがないため、非常に高精彩な画像を得ることができる。
【００１３】
また一方、半導体プロセスの進歩に伴い微小機械システム（Ｍｉｃｒｏ  Ｅｌｅｃｔｒｏ  Ｍｅｃｈａｎｉｃａｌ  Ｓｙｓｔｅｍ：ＭＥＭＳ）技術により、小型軽量でありながら高速の走査手段を作ることが可能となった。こうした技術を鑑みた技術として、特許文献３や特許文献４等が半導体プロセスを用いて製造された走査手段として、開示、提案されている。上記説明では走査手段の偏向面１０３ｂを設けた基板１０３ａはＳｉ基板としていたが、このＭＥＭＳを用いることによりフラットパネルよりも格段に応答性の速い走査型画像表示装置ができる。
【００１４】
そこで本発明は、光学ファインダーを有する一眼レフカメラにおいて、走査型画像表示装置を用いて、一眼レフカメラとしての性能を満足できる画像を表示可能なファインダー内表示装置を提供することを目的とする。
【課題を解決するための手段】
【００１５】
上記の目的を達成するために、請求項１の発明は、ファインダー内に情報表示可能な一眼レフカメラにおいて、光源と、前記光源からの光束を走査する走査手段と、を有し、前記光源を前記走査に同期して変調することで被走査面上に情報を表示し、かつ前記被走査面上の情報を接眼光学系を介して撮影者が観察可能とすることを特徴とする。この構成によれば、走査型画像表示装置を用いて、一眼レフカメラとしての性能を満足できる画像を表示可能なファインダー内表示装置が実現できる。
【００１６】
請求項２の発明は、前記被走査面が焦点板面であることを特徴とする。この構成によれば、請求項１記載の一眼レフカメラのファインダー内表示装置が実現できる。
【００１７】
請求項３の発明は、前記光源と、前記走査手段が、撮影レンズが交換可能な一眼レフカメラの撮影レンズマウントに装着可能なように構成されていることを特徴とする。この構成によれば、走査型画像表示装置が着脱可能な請求項１又は２記載の一眼レフカメラのファインダー内表示装置が実現できる。
【００１８】
請求項４の発明は、前記接眼光学系が視度調整可能に構成されており、前記接眼光学系の視度をプラス側へ移動可能とすることを特徴とする。この構成によれば、前記走査面上の情報をファインダー外に投影可能な請求項１〜３いずれか記載の一眼レフカメラのファインダー内表示装置が実現できる。
【発明の効果】
【００１９】
本発明によれば、請求項１の発明は、走査型画像表示装置を用いることにより、一眼レフカメラとしての性能を満足できる画像を表示可能なファインダー内表示装置が実現できる。
【００２０】
請求項２の発明は、前記被走査面を焦点板面としたことにより、請求項１記載の一眼レフカメラのファインダー内表示装置が実現できる。
【００２１】
請求項３の発明は、走査型画像表示装置が着脱可能な請求項１又は２記載の一眼レフカメラのファインダー内表示装置が実現できる。
【００２２】
請求項４の発明は、前記接眼光学系を視度調整可能に構成し、前記接眼光学系の視度をプラス側へ移動させることにより、前記走査面上の情報をファインダー外に投影可能とした請求項１〜３いずれか記載の一眼レフカメラのファインダー内表示装置が実現できる。
【発明を実施するための最良の形態】
【００２３】
以下本発明を実施するための最良の形態を、実施例により詳しく説明する。
【実施例】
【００２４】
（第１の実施形態）
以下、本発明の第１の実施形態を図面を参照しながら説明する。図１は第１の実施形態に係るデジタル一眼レフカメラの要部断面図である。
【００２５】
１はカメラ本体、２は後述の撮影レンズ３をカメラ本体１に着脱可能とするためのマウントで、各種信号を通信したり、駆動電源を供給するためのインターフェイスを有する。３は交換可能な撮影レンズで、内部にフォーカスレンズ群、ズームレンズ群４を有している。各レンズ群は便宜上１枚のレンズで図示したが、実際には多数のレンズから構成されている。５はハーフミラーで構成された主ミラーで、カメラの動作状態に応じて回動可能となっており、被写体をファインダーで観察時は撮影光路へ斜設され、撮影レンズ２からの光束を折り曲げて後述のファインダー光学系へ導き、露光時は撮影光路から退避して、撮影レンズ３からの光束を後述の撮像素子７へ導いている。６はシャッター、７はＣＣＤやＣＭＯＳ等の撮像素子である。
【００２６】
１０は撮影レンズ３の一次結像面に配置された焦点板で、入射面１０ａにはフレネルレンズ（集光レンズ）が設けられ、射出面１０ｂには被写体像（ファインダー像）が結像している。１１はファインダー視野枠、１２はペンタプリズムで、焦点板１０に結像した被写体像を正立正像に補正している。１３、１４は接眼レンズ、１５は保護レンズ、１６はファインダー光学系の視度を調整するためのレバーで、カム１６ａが接眼レンズ１４に設けられた連動軸１４ａと嵌合しており、レバー１６を操作すると接眼レンズ１４が光軸方向に移動し、接眼レンズ１３との間隔が変化することで視度が調整される。
【００２７】
２０はサブミラーで、主ミラー５を透過した光束を折り曲げて後述の焦点検出ユニット２１へ導いている。２１は焦点検出ユニットで、周知の位相差方式により焦点検出を行っている。２５は液晶モニタである。
【００２８】
３１は入力信号に対して変調される光源、３２は集光光学系、３３は入射した光束を２次元方向にラスタスキャンできる２次元走査手段で、内部に走査デバイス３３ａを有している。３４は瞳結像用光学系である。
【００２９】
ここで走査手段３３について説明する。図２は走査手段３３内に設けられた反射型の走査デバイス３３ａである。走査デバイス３３ａは半導体プロセスで製造された微小機械システム（ＭＥＭＳ）である。光源３１からの光束を偏向する偏向面３３ｂは、トーションバー３３ｘをねじれ軸として共振往復揺動運動し、また更に、トーションバー３３ｙを軸として往復揺動運動するように構成されている。この２つの揺動運動は不図示の電磁アクチュエータで駆動する。
４０はファインダーを観察する瞳である。
【００３０】
図３は第１の実施形態に係るデジタル一眼レフカメラの構成を示すブロック図である。
【００３１】
５０はカメラ部の制御とカメラ全体の制御を行うＣＰＵ、５１は画像データの各種制御を行うメモリコントローラ、５２は各種制御を行うための設定・調整データ等を格納しているＥＥＰＲＯＭである。５３はカメラを操作したり、撮影のための各種設定を行う操作ＳＷ、５４は撮影レンズ３とＣＰＵ５０の間で各種信号を通信したり、後述の電源６１から撮影レンズ３へ駆動電源を供給するためにマウント２に設けられたマウントインターフェイス、５５はフォーカスレンズ群４を駆動するフォーカス駆動回路、５６は不図示の絞りを駆動する絞り駆動回路、５７は主ミラー５とシャッター６を駆動するミラー・シャッター駆動回路、５８は焦点検出ユニット２１内に設けられたＡＦセンサ、６０は電源６１の電圧を各回路に必要な電圧に変換するＤＣ／ＤＣコンバータである。
【００３２】
７０は撮像素子７から出力される画像信号をサンプルホールド及び自動ゲイン調整するＣＤＳ（相関２重サンプリング）／ＡＧＣ（自動ゲイン調整）回路、７１はＣＤＳ／ＡＧＣ回路７０のアナログ出力をデジタル信号に変換するＡ／Ｄ変換器、７２はＴＧ（タイミング発生）回路で、撮像素子７に駆動信号、ＣＤＳ／ＡＧＣ回路７０にサンプルホールド信号、Ａ／Ｄ変換器７１にサンプルクロック信号を供給する。ここで、メモリコントローラ５１が撮像素子７から出力される画像信号をＣＤＳ／ＡＧＣ回路７０、Ａ／Ｄ変換器７１を経て受けて、コントラスト検出方式により被写体像の焦点検出を行うことが可能である。
【００３３】
７３はＡ／Ｄ変換器７１でデジタル変換された画像等を一時的に記録するためのＳＤＲＡＭ、７４は画像をＹ／Ｃ（輝度信号／色差信号）分離、ホワイトバランス補正、γ補正等を行う画像処理回路、７５は画像をＪＰＥＧ等の形式に従って圧縮したり、圧縮された画像の伸張を行う画像圧縮／伸張回路である。７６は画像を記録保存するためのメディア３５とのＩ／Ｆ（インターフェイス）、７８はＳＤＲＡＭ７３やメディア３５に記録された画像をＬＣＤ２５に表示するために画像をアナログ信号に変換するＤ／Ａ変換器である。
【００３４】
８０はファインダー内に表示する画像や撮影情報の入力信号に基づいて、光源３１を変調する変調制御回路、８１は走査デバイス３３ａを駆動するためのＭＥＭＳ駆動回路である。
【００３５】
続いて、ファインダーで画像や撮影情報を観察する時の一連の動作を説明する。まず今までの一眼レフカメラと同様に撮影時、ファインダーで被写体と撮影情報を観察する場合について説明する。
【００３６】
撮影レンズ３を通過した光束は主ミラー５で折り曲げられて焦点板１０の射出面１０ｂに被写体像として結像される。その被写体像はファインダー視野枠１１、ペンタプリズム１２、接眼レンズ１３、１４、保護レンズ１５を通過し、撮影者の瞳４０で観察される。
【００３７】
それと同時に撮影者が操作ＳＷ５３で設定し、ＥＥＰＲＯＭ５２に格納されているシャッタースピードや絞り値等の撮影情報が変調制御回路８０へ入力され、光源３１を変調しながら発光する。光源３１から発光された光束は集光光学系３２によりビーム化され、走査手段３３へ入射し、走査デバイス３３ａにより反射、偏向されて射出され、瞳結像用光学系３４に入射する。瞳結像用光学系３４は光束を被走査面に結像するように構成されており、瞳結像用光学系３４より射出された光束は主ミラー５を透過し、被走査面である焦点板１０の射出面１０ｂに結像する。ここで走査デバイス３３ａをＭＥＭＳ駆動回路８１により駆動すると、光束が走査され射出面１０ｂに結像する位置も走査される。光源３１の変調と走査デバイス３３ａの走査特性の同期をとって制御することにより、射出面１０ｂに撮影情報像が表示される。また走査デバイス３３ａは光束が結像する位置がファインダー視野枠１１の外側になるように制御されている。この撮影情報像を被写体像と同様にファインダー視野枠１１、ペンタプリズム１２、接眼レンズ１３、１４、保護レンズ１５を経て、瞳４０で観察する。
【００３８】
これらの動作によりファインダーを瞳４０で観察すると、視野枠内に被写体像、視野枠外に撮影情報が同時に観察できる。
【００３９】
次にデジタルカメラと同様に撮影直後、ファインダーで撮影済みの画像を観察する場合について説明する。
【００４０】
撮影（露光）時に撮影レンズ３からの光束を撮像素子７へ導くため、主ミラー５は撮影光路から退避している。従って、射出面１０ｂには被写体像が結像されておらず、瞳４０でファインダーを観察しても何も観察されない状態となっている。
【００４１】
その状態において、ＳＤＲＡＭ７３から直前に撮影された画像が変調制御回路８０へ入力され、光源３１を変調しながら発光する。光源３１から発光された光束は集光光学系３２によりビーム化され、走査手段３３へ入射し、走査デバイス３３ａにより反射、偏向されて射出され、瞳結像用光学系３４に入射する。瞳結像用光学系３４は光束を被走査面に結像するように構成されており、瞳結像用光学系３４より射出された光束は主ミラー５を透過し、被走査面である焦点板１０の射出面１０ｂに結像する。ここで走査デバイス３３ａをＭＥＭＳ駆動回路８１により駆動すると、光束が走査され射出面１０ｂに結像する位置も走査される。光源３１の変調と走査デバイス３３ａの走査特性の同期をとって制御することにより、射出面１０ｂに画像が表示される。また走査デバイス３３ａは光束が結像する位置がファインダー視野枠１１の内側になるように制御されている。この画像はファインダー視野枠１１、ペンタプリズム１２、接眼レンズ１３、１４、保護レンズ１５を通過し、瞳４０で観察される。
【００４２】
これらの動作によりファインダーを瞳４０で観察すると、視野枠内に直前に撮影された画像が観察できる。
【００４３】
以上説明したように、本実施形態によれば、走査型画像表示装置を用いることで、一眼レフカメラとしての性能を満足できる画像を表示可能なファインダー内表示装置が実現できる。また、被走査面を焦点板面としたことにより、一眼レフカメラの構成を有効活用したファインダー内表示装置が実現できる。
【００４４】
本実施形態において光源３１は、撮影情報の表示のみを考慮すれば単色光のＬＥＤ等を使用しても良いが、画像の表示を考慮するならば、赤、緑、青の光を独立に発光するＬＥＤ等の光源を色合成手段により組み合わせた構成とし、画像信号に基づいて独立に各色の光源の発光特性を制御することで、画像をカラー化した方が良い。
【００４５】
上記説明においては撮影直後に撮影画像を観察可能なようにしているが、メディア３５に記録された複数の画像を観察者が自由なタイミングで観察可能としても良い。その際には、画像を焦点板１０に表示する直前に主ミラー５を撮影光路から退避させる。
【００４６】
また上記説明は静止画撮影の場合で、動画撮影やミラーアップ撮影の場合には、常に主ミラー５を撮影光路から退避し撮像素子７から出力される画像信号を直接、変調制御回路８０へ入力することで、撮像素子７で得られている動画像を直接ファインダーで観察可能としても良い。
【００４７】
更に、上記説明においては撮影情報表示は、視野枠外に表示するように構成していたが、視野枠内の被写体像に重ねて表示するようにしても構わないし、視野枠内外の両方に表示するようにしても良い。
【００４８】
（第２の実施形態）
以下、本発明の第２の実施形態を図面を参照しながら説明する。図４は第２の実施形態に係る一眼レフカメラの要部断面図である。なお図１と同一機能のものには同一の符号を付して説明を省略する。
【００４９】
８は銀塩フィルム、３０はマウント２に着脱可能に構成された走査型画像表示装置、４１はスクリーンである。通常この一眼レフカメラのマウント２には撮影レンズ３を着けて撮影を行うが、本実施形態では走査型画像装置３０が着けてある。
【００５０】
図５は第２の実施形態に係る一眼レフカメラの構成を示すブロック図である。なお図３と同一機能のものには同一の符号を付して説明を省略する。
【００５１】
５９は銀塩フィルム８を巻き上げ、巻き戻しするためのフィルム給送回路である。第１の実施形態ではデジタル一眼レフカメラであったためカメラ内部に画像表示に必要なメモリコントローラ５１等が設けられていたが、本実施形態では画像表示に必要な回路等は全て走査型画像装置３０内部に設けられ、マウントインターフェイス５４経由でカメラ本体１内部のＣＰＵ５０と各種信号通信を行っている。
【００５２】
続いて、ファインダーに画像を表示する時の一連の動作を説明する。走査型画像装置３０に設けられた不図示のＳＷを操作すると、メディア３５に記録された画像が変調制御回路８０へ入力され、光源３１を変調しながら発光する。光源３１から発光された光束は集光光学系３２によりビーム化され、走査手段３３へ入射し、走査デバイス３３ａにより反射、偏向されて射出され、瞳結像用光学系３４に入射する。瞳結像用光学系３４は光束を被走査面に結像するように構成されており、瞳結像用光学系３４より射出された光束は主ミラー５により折り曲げられて、被走査面である焦点板１０の射出面１０ｂに結像する。ここで走査デバイス３３ａをＭＥＭＳ駆動回路８１により駆動すると、光束が走査され射出面１０ｂに結像する位置も走査される。光源３１の変調と走査デバイス３３ａの走査特性の同期をとって制御することにより、射出面１０ｂに画像が表示される。また走査デバイス３３ａは光束が結像する位置がファインダー視野枠１１の内側になるように制御されている。
【００５３】
この状態において瞳４０でファインダーを観察すると、画像がファインダー視野枠１１、ペンタプリズム１２、接眼レンズ１３、１４、保護レンズ１５を経て観察できる。
【００５４】
ここで、レバー１６を操作しファインダーの視度をプラス側へ調整すると、焦点板１０に表示されている画像がスクリーン４１上へ投影され、ファインダー外で観察可能となる。
【００５５】
以上説明したように、本実施形態によれば、走査型画像表示装置を着脱可能とした一眼レフカメラのファインダー内表示装置が実現できる。また、接眼光学系の視度をプラス側へ移動させることにより、走査面上の情報をファインダー外に投影可能とした一眼レフカメラのファインダー内表示装置が実現できる。
【図面の簡単な説明】
【００５６】
【図１】本発明の第１の実施形態に係る、デジタル一眼レフカメラの要部断面図
【図２】本発明の第１の実施形態に係る、走査デバイスの斜視図
【図３】本発明の第１の実施形態に係る、デジタル一眼レフカメラの構成を示すブロック図
【図４】本発明の第２の実施形態に係る、一眼レフカメラの要部断面図
【図５】本発明の第２の実施形態に係る、一眼レフカメラの構成を示すブロック図
【図６】従来の走査型画像表示装置の基本構成を示す概略図
【符号の説明】
【００５７】
１    カメラ本体
２    マウント
３    撮影レンズ
７    撮像素子
８    銀塩フィルム
１０    焦点板
１０ｂ  射出面（被走査面）
１１  ファインダー視野枠
１３、１４  接眼レンズ
１６    レバー
３０    走査型画像装置
３１    光源
３２    集光光学系
３３    走査手段
３３ａ  走査デバイス
３４    瞳結像用光学系
３５    メディア
４０    瞳
４１    スクリーン
５０    ＣＰＵ
５１    メモリコントローラ
５２    ＥＥＰＲＯＭ
５４    マウントインターフェイス
７３    ＳＤＲＡＭ
８０    変調制御回路
８１    ＭＥＭＳ駆動回路
【図１】
2006259078.tif 000003
【図３】
2006259078.tif 000004
【図４】
2006259078.tif 000005
【図５】
2006259078.tif 000006
【図２】
2006259078.tif 000007
【図６】
2006259078.tif 000008